(57)【要約】【課題】  製品を生産するためにその製品を構成する部品の支給先を決定する支給先決定装置を提供する。【解決手段】  複数の部品相互間における親と子の関係を特定するとともに、製品の子がいずれの部品であるのかを特定する構成関係情報と、支給先決定対象の部品とを対照し、支給先決定対象の部品の親を特定する親特定部１５と、親特定部１５によって特定された親と、各部品の仕入先を特定する仕入先情報とを対照し、支給先決定対象の部品の支給先を、特定された親の仕入先と決定する支給先決定部１８とを備える。【選択図】      図３
2005316657.tif 000002
【特許請求の範囲】
【請求項１】
製品を生産するために前記製品を構成する部品の支給先を決定する支給先決定装置であって、
複数の前記部品相互間における親と子の関係を特定するとともに、前記製品の子がいずれの前記部品であるのかを特定する構成関係情報と、支給先決定対象の部品とを対照し、前記支給先決定対象の部品の親を特定する親特定手段と、
前記親特定手段によって特定された親と、各前記部品の仕入先を特定する仕入先情報とを対照し、前記支給先決定対象の部品の支給先を、前記特定された親の仕入先と決定する支給先決定手段と
を備えることを特徴とする支給先決定装置。
【請求項２】
前記支給先決定装置は、更に、
前記製品が生産される部署において各前記部品が生産されるのか否かを特定する生産部署情報と、前記特定された親とを対照し、前記特定された親が、前記製品が生産される部署において生産されるのか否かを判定する生産部署判定手段を備え、
前記生産部署判定手段によって、前記特定された親が、前記製品が生産される部署において生産されると判定された場合、前記支給先決定手段は、前記支給先決定対象の部品を、前記製品が生産される部署へ提供すべきことを決定する
ことを特徴とする請求項１記載の支給先決定装置。
【請求項３】
前記支給先決定装置は、更に、
前記生産部署情報を記憶する生産部署記憶手段を備える
ことを特徴とする請求項２記載の支給先決定装置。
【請求項４】
前記支給先決定装置は、更に、
前記構成関係情報を記憶する構成関係記憶手段を備える
ことを特徴とする請求項１から３のいずれか１項に記載の支給先決定装置。
【請求項５】
前記支給先決定装置は、更に、
前記仕入先情報を記憶する仕入先記憶手段を備える
ことを特徴とする請求項１から４のいずれか１項に記載の支給先決定装置。
【請求項６】
製品を生産するために前記製品を構成する部品の支給先を決定する支給先決定方法であって、
複数の前記部品相互間における親と子の関係を特定するとともに、前記製品の子がいずれの前記部品であるのかを特定する構成関係情報と、支給先決定対象の部品とを対照し、前記支給先決定対象の部品の親を特定する親特定ステップと、
前記親特定ステップにおいて特定した親と、各前記部品の仕入先を特定する仕入先情報とを対照し、前記支給先決定対象の部品の支給先を、前記特定した親の仕入先と決定する支給先決定ステップと
を含むことを特徴とする支給先決定方法。
【請求項７】
製品を生産するために前記製品を構成する部品の支給先を決定するためのプログラムであって、
複数の前記部品相互間における親と子の関係を特定するとともに、前記製品の子がいずれの前記部品であるのかを特定する構成関係情報と、支給先決定対象の部品とを対照し、前記支給先決定対象の部品の親を特定する親特定ステップと、
前記親特定ステップにおいて特定した親と、各前記部品の仕入先を特定する仕入先情報とを対照し、前記支給先決定対象の部品の支給先を、前記特定した親の仕入先と決定する支給先決定ステップと
をコンピュータに実行させるためのプログラム。
【発明の詳細な説明】
【技術分野】
【０００１】
本発明は、製品を生産するためにその製品を構成する部品の支給先を決定する支給先決定装置に関する。
【背景技術】
【０００２】
電化製品等の製品を生産する企業は、製品を構成する各部品を各部品製造会社から仕入れて製品を生産する。ところで、企業は、部品を単に仕入れて製品を生産するのではなく、仕入れた部品の一部を、そのままの状態で又は企業内で加工した後、仕入先の部品製造会社とは異なる部品製造会社に支給し、その部品製造会社で新たな部品を生産させた上でその部品製造会社から新たな部品を仕入れる場合があった。なお、各部品間相互の親子関係については例えば特許文献１に記載されている。
【特許文献１】特開平１１―２５１８１号公報
【発明の開示】
【発明が解決しようとする課題】
【０００３】
しかしながら、従来の支給先決定方法では、各部品の支給先を誤って決定する場合があった。
そこで本発明は、誤って部品を支給することがないように支給先を決定する支給先決定装置を提供することを目的とする。
【課題を解決するための手段】
【０００４】
上記課題を解決し上記目的を達成するために、本発明の支給先決定装置は、製品を生産するために前記製品を構成する部品の支給先を決定する支給先決定装置であって、複数の前記部品相互間における親と子の関係を特定するとともに、前記製品の子がいずれの前記部品であるのかを特定する構成関係情報と、支給先決定対象の部品とを対照し、前記支給先決定対象の部品の親を特定する親特定手段と、前記親特定手段によって特定された親と、各前記部品の仕入先を特定する仕入先情報とを対照し、前記支給先決定対象の部品の支給先を、前記特定された親の仕入先と決定する支給先決定手段とを備えることを特徴とする。
【０００５】
本発明の支給先決定装置は、上述したように、製品を生産するためにその製品を構成する部品の支給先が決められていない場合であっても、構成関係情報と仕入先情報とを利用して支給先決定対象の部品の支給先を決定する。これにより、部品を支給しようとする人は自ら支給先を決定する必要がなくなる、という効果が得られる。また、支給先を誤って決定するということを防止することができる。
【０００６】
また、本発明は、本発明の支給先決定装置の特徴的な構成手段をステップとする支給先決定方法として実現したり、それらのステップを含むプログラムとして実現することもできる。そのプログラムは、ＣＤ−ＲＯＭ等の記録媒体や通信ネットワーク等の伝送媒体を介して流通させることもできる。
【発明の効果】
【０００７】
本発明は、製品を生産するためにその製品を構成する部品の支給先を決定する支給先決定装置を提供することができる。
【発明を実施するための最良の形態】
【０００８】
以下に、本発明を実施するための最良の形態について、図面を参照して説明する。
先ず、本実施の形態の部品管理システムの構成を、図１〜図８を用いて説明する。
図１は本実施の形態の部品管理システムのハードウェア構成図である。本実施の形態の部品管理システムは、所定の企業が所定の製品を生産するためにその製品を構成する各部品を部品製造会社から仕入れ、仕入れた部品の一部を、そのままの状態で又は企業内で加工した後、仕入先の部品製造会社とは異なる部品製造会社に支給する際の部品の支給先を決定するシステムであって、支給先決定装置１と、複数のコンピュータ２と、複数の表示装置３と、複数のキーボード４と、複数のマウス５と、印刷装置６と、ネットワーク７とで構成されている。
【０００９】
支給先決定装置１は、上記企業における、所定の製品を構成する各部品の支給先を調べようとする社員が使用しているコンピュータ２からのアクセスに基づいて、各部品の支給先及びその支給先へ支給すべきその部品の数量を決定し、決定した支給先の名称及び数量を上記社員が使用しているコンピュータ２へネットワーク７を介して送信する装置である。各コンピュータ２は、上記企業における各社員の机上又は机周辺に配置されており、各社員によって入力された製品の名称及びその製品の生産数量を、ネットワーク７を介して支給先決定装置１へ送信するとともに、支給先決定装置１からの各部品の支給先の名称、及びその支給先へ支給すべきその部品の数量を受信する装置である。各表示装置３は、各社員の机上に配置されているとともに、対応するコンピュータ２に接続されており、各社員が所定の製品を構成する各部品の支給先を調べようとする場合に、その製品の名称及びその製品の生産数量を、各社員がキーボード４及びマウス５の一方又は双方を用いてコンピュータ２に入力する際の入力を案内する入力案内画面を表示するとともに、接続されているコンピュータ２によって受信された各部品の支給先の名称、及び各支給先へ支給すべき各部品の数量を表示する装置である。入力案内画面の一例については図２を用いて後述する。また、コンピュータ２によって受信された各部品の支給先の名称、及び各支給先へ支給すべき各部品の数量を表示する決定事項表示画面の一例については図８を用いて後述する。各キーボード４及び各マウス５は、対応するコンピュータ２に接続されており、製品の名称及びその製品の生産数量を上記社員がコンピュータ２へ入力する際に用いる入力装置である。印刷装置６は、支給先決定装置１によって決定された、所定の製品を構成する各部品の支給先の名称、及び各支給先へ支給すべき各部品の数量を紙に出力する装置である。ネットワーク７は、支給先決定装置１、各コンピュータ２、及び印刷装置６を相互に接続する構成部である。
【００１０】
図２は入力案内画面の一例を示す図である。入力案内画面は、上述したように、各社員が所定の製品を構成する各部品の支給先等を調べようとする場合に、その社員が、その社員が使用しているコンピュータ２に対して所定の操作を行なったときに、そのコンピュータ２に接続されている表示装置３によって表示される画面であって、その社員がその製品の名称及びその製品の生産数量をコンピュータ２に入力する際の入力を案内する画面である。入力案内画面は、図２に示すように、「製品の名称」を記入するための名称記入欄Ａと、その製品の「生産数量」を記入するための数量記入欄Ｂとを有している。各社員は、製品の名称を名称記入欄Ａに、生産数量を数量記入欄Ｂに、キーボード４及びマウス５の一方又は双方を用いて入力する。その入力の後、その社員が画面内の「送信」ボタンをマウス５を用いて押すと、その社員が入力した製品の名称及び生産数量は、支給先決定装置１へ送信される。
【００１１】
図３は本実施の形態の部品管理システムのブロック構成図である。なお、図３では、コンピュータ２、表示装置３、キーボード４及びマウス５については、便宜上一組のみ表示している。本実施の形態の部品管理システムの概略構成は上述したとおりであるので、以下では支給先決定装置１の構成を詳述する。支給先決定装置１は、上述したように、所定の製品を構成する各部品の支給先の名称、及び各支給先へ支給すべき各部品の数量を決定する装置であって、受信部１１と、構成関係・生産部署記憶部１２と、データ有無判定部１３と、構成部品特定部１４と、親特定部１５と、生産部署判定部１６と、仕入先記憶部１７と、支給先決定部１８と、支給数量情報記憶部１９と、支給数量決定部２０と、記憶部２１と、記録部２２と、未決定判定部２３と、送信部２４とで構成されている。
【００１２】
受信部１１は、社員がキーボード４及びマウス５の一方又は双方を用いて入力した、製品の名称及びその製品の生産数量を、その社員が使用しているコンピュータ２から受信する構成部である。構成関係・生産部署記憶部１２は、所定の製品を構成する複数の部品相互間における親と子の関係を特定するとともに、その製品の子がいずれの部品であるのかを特定する構成関係情報を記憶する構成部である。ここで、子はもとになる部品であり、親はその子から直接生産される物（部品又は製品）である。構成関係情報の一例と、子及び親の一例とについては図４を用いて後述する。また、構成関係・生産部署記憶部１２は、所定の製品を構成する各部品が、その製品が生産される部署で生産されるのか否かを特定する生産部署情報を記憶する構成部でもある。その生産部署情報は、親特定部１５によって特定された親が上記企業内部で生産されるのか否かを判定するための情報である。生産部署情報の一例については図４及び図５を用いて後述する。データ有無判定部１３は、受信部１１によって受信された名称の製品の構成関係情報が構成関係・生産部署記憶部１２に記憶されているか否かを判定する構成部である。構成部品特定部１４は、構成関係・生産部署記憶部１２に記憶されている構成関係情報に基づいて、受信部１１によって受信された名称の製品を構成する全部の部品を特定するとともに、それら全部の部品の中から支給先を決定すべき部品（以下、「支給先決定対象の部品」という。）を一個特定する構成部である。親特定部１５は、構成部品特定部１４によって特定された支給先決定対象の部品と、構成関係・生産部署記憶部１２に記憶されている構成関係情報とを対照し、支給先決定対象の部品の親を特定する構成部である。
【００１３】
生産部署判定部１６は、構成関係・生産部署記憶部１２に記憶されている生産部署情報（図４及び図５参照）に基づいて、親特定部１５によって特定された親が、製品が生産される部署において生産されるのか否かを判定する構成部である。つまり、生産部署判定部１６は、親特定部１５によって特定された親が上記企業内部で生産されるのか否かを判定する。仕入先記憶部１７は、所定の製品を構成する各部品の仕入先を特定するとともに、一部の部品の支給先を特定する仕入先情報を記憶する構成部である。仕入先情報の一例については図６を用いて後述する。
【００１４】
支給先決定部１８は、親特定部１５によって特定された親と、生産部署判定部１６によって得られた判定結果と、仕入先記憶部１７に記憶されている仕入先情報とに基づいて、支給先決定対象の部品の支給先を決定する構成部である。支給先決定部１８が行なう決定の具体例については、図６を用いて仕入先情報を説明した後に、図４〜図６を用いて説明する。支給数量情報記憶部１９は、所定の製品を一個生産する場合に、各支給先へ支給すべき各部品の数量を特定する支給数量情報を記憶する構成部である。支給数量情報の一例については図７を用いて後述する。支給数量決定部２０は、受信部１１によって受信された生産数量と、支給数量情報記憶部１９に記憶されている支給数量情報とに基づいて、又は、上記の生産数量と、支給数量情報と、予め決定されている各部品の支給先とに基づいて、各支給先へ支給すべき各部品の数量を決定する構成部である。支給数量決定部２０が行なう決定の具定例については、図７を用いて支給数量情報を説明した後に説明する。
【００１５】
記憶部２１は、支給先決定部１８によって決定された各部品の支給先と、支給数量決定部２０によって決定された各支給先へ支給すべき各部品の数量とを記憶するための記録媒体である。記録部２２は、支給先決定部１８によって決定された各部品の支給先と、支給数量決定部２０によって決定された各支給先へ支給すべき各部品の数量とを記憶部２１に記録し、これによりそれら支給先に関する事項を記憶部２１に記憶させる構成部である。未決定判定部２３は、構成部品特定部１４によって特定された全部の部品の中で、支給先が決定されていない部品が存在しているか否かを判定する構成部である。送信部２４は、データ有無判定部１３によって、受信部１１によって受信された名称の製品の構成関係情報が構成関係・生産部署記憶部１２に記憶されていないと判定された場合のその判定結果を、又は、支給先決定部１８及び支給数量決定部２０によって決定された各部品の支給先及び各支給先へ支給すべき各部品の数量を、受信部１１が受信した製品の名称及び生産数量を送信してきたコンピュータ２と、印刷装置６とへ、ネットワーク７を介して送信する構成部である。
【００１６】
図４は構成関係・生産部署記憶部１２に記憶されている構成関係情報の一例を示す図である。構成関係情報は、上述したように、所定の製品を構成する複数の部品相互間における親と子の関係を特定するとともに、その製品の子がいずれの部品であるのか特定する情報である。上述したが、子はもとになる部品であり、親はその子から直接生産される物（部品又は製品）である。図４は、製品が「電子レンジ」であって、製品「電子レンジ」が「センサユニット」、「リード線」、「ボディユニット」、「インバータ電源」、「プリント基盤」、及び「ドアユニット」の各部品で構成されている場合の構成関係情報を示している。
【００１７】
構成関係情報が特定している各部品相互間における親と子の関係の具体例を、製品「電子レンジ」を構成する部品「センサユニット」と部品「リード線」とを例にとって説明する。部品「センサユニット」は、実際には、部品「リード線」を直接の構成要素として製造される。つまり、部品「リード線」がもとになる子であり、部品「センサユニット」がその子から直接生産される親である。図４に示す構成関係情報は、部品「センサユニット」を、部品「リード線」よりも製品「電子レンジ」に近い上方に配置するとともに、部品「センサユニット」と部品「リード線」とを実線で直接接続している。これにより、部品「センサユニット」が部品「リード線」の親であり、部品「リード線」が部品「センサユニット」の子であることを示している。このように、構成関係情報は、各部品相互間における親と子の関係を、親を製品に近い上方に、子を親の下方にそれぞれ配置し、両者を実線で直接接続することにより表示している。
【００１８】
したがって、図４から明らかなように、部品「インバータ電源」と部品「プリント基盤」との関係については、親が部品「インバータ電源」であり、子が部品「プリント基盤」である。また、部品「ボディユニット」と部品「インバータ電源」との関係については、親が部品「ボディユニット」であり、子が部品「インバータ電源」である。また、部品「ドアユニット」と部品「リード線」との関係については、親が部品「ドアユニット」であり、子が部品「リード線」である。
【００１９】
次に、図４に示す構成関係情報において、製品「電子レンジ」の子がいずれの部品であるのかを説明する。製品「電子レンジ」は、実際には、部品「センサユニット」、部品「ボディユニット」、及び部品「ドアユニット」を直接の構成要素として生産される。つまり、部品「センサユニット」、部品「ボディユニット」、及び部品「ドアユニット」がもとになる子であり、製品「電子レンジ」がそれらから直接生産される親である。図４に示す構成関係情報は、製品の子である部品「センサユニット」、部品「ボディユニット」、及び部品「ドアユニット」を、製品の子でない部品よりも最も製品「電子レンジ」寄りで、製品「電子レンジ」の下方の同じ高さに配置するとともに、製品「電子レンジ」と、部品「センサユニット」、部品「ボディユニット」、及び部品「ドアユニット」とをそれぞれ実線で接続している。これにより、製品「電子レンジ」の子が、部品「センサユニット」、部品「ボディユニット」、及び部品「ドアユニット」である、ということを示している。このように、構成関係情報は、製品の子がいずれの部品であるのか特定するために、製品の子を、製品の子でない部品よりも最も製品寄りで、製品の下方の同じ高さに配置するとともに、製品と製品の子とを実線で直接接続することにより表示している。
【００２０】
ところで、図４では、製品「電子レンジ」及び各部品の名称の下方に、それらと隣接するように「Ｎ」又は「ＬＩＮ」という文字が付加されている。それら文字「Ｎ」及び文字「ＬＩＮ」は生産部署情報の一部である。生産部署情報は、上述したように、所定の製品を構成する各部品が、その製品が生産される部署で生産されるのか否かを特定する情報である。つまり、生産部署情報は、所定の製品を構成する各部品が上記企業内部で生産されるのか否かを判定するための情報である。上述したように、図４は生産部署情報の一部を示しており、残部は図５に示されている。図５は、図４に示す文字「Ｎ」及び文字「ＬＩＮ」の意味を示す図であって、生産部署情報の残部を示す図である。図５において、文字「Ｎ」は、図４において文字「Ｎ」が付加されている部品は製品が生産される部署で生産されないということ、つまり上記企業外で生産されるということを意味しており、他方、文字「ＬＩＮ」は、図４において文字「ＬＩＮ」が付加されている部品は製品が生産される部署で生産されるということ、つまり上記企業内部で生産されるということを意味している。
【００２１】
以下に、製品が「電子レンジ」である場合を例にとって生産部署情報を具体的に説明する。製品が「電子レンジ」である場合、図４に示すように、製品「電子レンジ」を構成する「センサユニット」、「リード線」、「ボディユニット」、「プリント基盤」、及び「ドアユニット」の各部品には、文字「Ｎ」が付加されているので、図５が示す文字「Ｎ」の意味から、それら各部品は、製品「電子レンジ」が生産される部署で生産されない。つまり、上記企業外で生産される。他方、製品「電子レンジ」及び部品「インバータ電源」には、文字「ＬＩＮ」が付加されているので、図５が示す文字「ＬＩＮ」の意味から、製品「電子レンジ」及び部品「インバータ電源」は、製品「電子レンジ」が生産される部署で生産される。つまり、上記企業内部で生産される。このように、生産部署情報は、各部品が上記企業内部で生産されるのか又は上記企業外で生産されるのかを特定している。
【００２２】
次に、仕入先記憶部１７に記憶されている仕入先情報について図６を用いて説明する。図６は仕入先情報の一例を示す図である。仕入先情報は、上述したように、所定の製品を構成する各部品の仕入先を特定するとともに、一部の部品の支給先を特定する情報である。図６は、製品が「電子レンジ」であって、製品「電子レンジ」が「センサユニット」、「リード線」、「ボディユニット」、「インバータ電源」、「プリント基盤」、及び「ドアユニット」の各部品で構成されている場合の仕入先情報を示している。具体的には、製品「電子レンジ」の仕入先は「ＬＩＮ００」、部品「センサユニット」の仕入先は「Ｎ０１」、部品「リード線」の仕入先は「Ｎ０２」、部品「ボディユニット」の仕入先は「Ｎ０３」、部品「インバータ電源」の仕入先は「ＬＩＮ０１」、部品「プリント基盤」の仕入先は「Ｎ０４」、部品「ドアユニット」の仕入先は「Ｎ０５」である。また、部品「リード線」の支給先は「Ｎ０１」及び「Ｎ０５」である。ここで、仕入先を特定する用語に文字「ＬＩＮ」が含まれている製品及び部品の仕入先は、図５に示す意味と同様に、製品が生産される部署、つまり上記企業内部であり、仕入先を特定する用語に文字「Ｎ」が含まれている部品の仕入先は、製品が生産されない部署、つまり上記企業外である。
【００２３】
次に、支給先決定部１８が行なう決定について説明する。支給先決定部１８は、上述したように、親特定部１５によって特定された親と、生産部署判定部１６によって得られた判定結果と、仕入先記憶部１７に記憶されている仕入先情報（図６参照）とに基づいて、支給先決定対象の部品の支給先を決定する。
【００２４】
具体的には、（１）生産部署判定部１６によって親が生産される部署が上記企業外であると判定された場合、支給先決定部１８は、図６に示す仕入先情報と支給先決定対象の部品とを対照し、支給先決定対象の部品の支給先が予め決められているか否かを検査する。（１―Ａ）支給先が予め決められている場合、支給先決定部１８は、図６に示す仕入先情報を参照し、親特定部１５によって特定された親の仕入先と予め決められている支給先とが一致しているか否かを判定する。（１―Ａ−α）親の仕入先と予め決められている支給先とが一致している場合、支給先決定部１８は、支給先決定対象の部品の支給先を、予め決められている支給先と決定する。それに対して、（１―Ａ−β）親の仕入先と予め決められている支給先とが不一致である場合、支給先決定部１８は、支給先決定対象の部品の支給先を、親の仕入先と決定する。また、（１―Ｂ）支給先決定対象の部品の支給先が予め決められていない場合、支給先決定部１８は、支給先決定対象の部品の支給先を、親の仕入先と決定する。
【００２５】
他方、（２）生産部署判定部１６によって親が生産される部署が上記企業内部であると判定された場合、支給先決定部１８は、支給先決定対象の部品を上記企業内部に提供すべきことを決定する。
【００２６】
ここで、支給先決定部１８が行なう決定の具体例を、支給先決定部１８が支給先決定対象の部品としての部品「インバータ電源」の支給先を決定する場面を例にとって、図４〜図６を用いて説明する。先ず、支給先決定部１８は、支給先決定対象の部品「インバータ電源」の親である部品「ボディユニット」の仕入先が上記企業外であるという判定結果を生産部署判定部１６から取得する（図５及び図６参照）。そして、支給先決定部１８は、図６に示す仕入先情報と支給先決定対象の部品「インバータ電源」とを対照し、部品「インバータ電源」の支給先が予め決められているか否かを検査し、部品「インバータ電源」の支給先は決められていないという情報を取得する。次に、支給先決定部１８は、図６に示す仕入先情報から、支給先決定対象の部品「インバータ電源」の親である部品「ボディユニット」の仕入先の名称を取得し、その名称の仕入先を支給先決定対象の部品「インバータ電源」の支給先として決定する。すなわち、支給先決定部１８は、支給先決定対象の部品「インバータ電源」の支給先を、親である部品「ボディユニット」の仕入先「Ｎ０３」と決定する。
【００２７】
なお、支給先決定対象の部品が部品「プリント基盤」である場合、図４に示す構成関係情報から明らかなように、親は部品「インバータ電源」であって、図４及び図５に示す生産部署情報から明らかなように、部品「インバータ電源」は上記企業内部で生産される。このように、親が上記企業内部で生産される場合、支給先決定部１８は、支給先決定対象の部品「プリント基盤」を上記企業内部に提供すべきことを決定する。
【００２８】
次に、支給数量情報記憶部１９に記憶されている支給数量情報について図７を用いて説明する。図７は支給数量情報の一例を示す図である。支給数量情報は、上述したように、所定の製品を一個生産する場合に、各支給先又は各提供先へ支給又は提供すべき各部品の数量を特定する情報である。図７は、製品が「電子レンジ」であって、製品「電子レンジ」が「センサユニット」、「リード線」、「ボディユニット」、「インバータ電源」、「プリント基盤」、及び「ドアユニット」の各部品で構成されている場合の支給数量情報を示している。具体的には、製品「電子レンジ」を一個生産する場合、部品「センサユニット」については５個を、部品「ボディユニット」については３個を、部品「インバータ電源」については２個を、部品「プリント基盤」については２個を、部品「ドアユニット」については１個を、支給先決定部１８によって決定された支給先又は提供先へ、それぞれ支給又は提供すべきことが特定されている。なお、部品「リード線」については、図６を用いて説明したように支給先が予め決められており、図７に示すように、予め決められている支給先「Ｎ０１」及び支給先「Ｎ０５」へ、１０個、２０個をそれぞれ支給すべきことが決められている。
【００２９】
ここで、支給数量決定部２０が行なう決定の具定例を、支給数量決定部２０が製品「電子レンジ」を構成する支給先決定対象の部品「インバータ電源」を支給先決定部１８によって決定された、親である部品「ボディユニット」の仕入先「Ｎ０３」へ支給する際の支給すべき数量を決定する場面を例にとって説明する。支給数量決定部２０は、上述したように、受信部１１によって受信された生産数量と、支給数量情報記憶部１９に記憶されている支給数量情報（図７参照）とに基づいて、又は、上記の生産数量と、支給数量情報と、予め決定されている各部品の支給先とに基づいて、各支給先へ支給すべき各部品の数量を決定する。したがって、支給数量決定部２０が部品「インバータ電源」についての支給すべき数量を決定する場合、支給数量決定部２０は、生産数量と、図７に示す支給数量情報の中の部品「インバータ電源」を支給すべき数量「２」とを乗じて支給すべき数量を決定する。仮に、生産数量が「１５」であれば、支給数量決定部２０は、部品「インバータ電源」を支給すべき数量が「３０」であると決定する。また、部品「リード線」についての支給すべき数量を決定する場合、支給数量決定部２０は、支給先「Ｎ０１」へ支給すべき数量については、生産数量と、図７に示す支給数量情報の中の部品「リード線」を支給先「Ｎ０１」へ支給すべき数量「１０」とを乗じて決定し、支給先「Ｎ０５」へ支給すべき数量については、生産数量と、図７に示す支給数量情報の中の部品「リード線」を支給先「Ｎ０５」へ支給すべき数量「２０」とを乗じて決定する。
【００３０】
次に、支給先決定部１８によって決定された各部品の支給先又は提供先、及び支給数量決定部２０によって決定された各支給先又は各提供先へ支給又は提供すべき各部品の数量を表示する決定事項表示画面について図８を用いて説明する。図８は決定事項表示画面の一例を示す図である。決定事項表示画面は、図８に示すように、「製品の名称」とともに、その製品を構成する各部品の支給先又は提供先の名称、及び各支給先又は各提供先へ支給又は提供すべき各部品の数量を一覧表示する画面である。
【００３１】
次に、本実施の形態の部品管理システムの動作を、図９を用いて説明する。
図９は、本実施の形態の部品管理システムにおける支給先決定装置１が行なう各手順を説明するフローチャートである。
【００３２】
先ず、所定の製品を構成する各部品の支給先を調べようとする社員は、自らが使用しているコンピュータ２に対して所定の操作を行ない、製品の名称と生産数量とをコンピュータ２に入力するための入力案内画面（図２参照）を表示装置３によって表示させる。入力案内画面は、図２に示すように、「製品の名称」を記入するための名称記入欄Ａと、その製品の「生産数量」を記入するための数量記入欄Ｂとを有しているので、上記社員は、製品の名称を名称記入欄Ａに、生産数量を数量記入欄Ｂに、キーボード４及びマウス５の一方又は双方を用いて入力する。そして、その社員は入力案内画面内の「送信」ボタンをマウス５を用いて押す。これにより、コンピュータ２は、入力された製品の名称及び生産数量を、ネットワーク７を介して支給先決定装置１へ送信する。
【００３３】
支給先決定装置１では、受信部１１がコンピュータ２からの製品の名称及び生産数量を受信し（Ｓ１）、データ有無判定部１３が、受信部１１によって受信された名称の製品の構成関係情報（図４参照）が構成関係・生産部署記憶部１２に記憶されているか否かを判定する（Ｓ２）。受信部１１によって受信された名称の製品の構成関係情報が構成関係・生産部署記憶部１２に記憶されていない場合（Ｓ２でＮｏ）、製品を構成する各部品の支給先を決定することができない。そのため、送信部２４は、部品の支給先を決定することができない旨の情報を、製品の名称及び生産数量を送信してきたコンピュータ２へネットワーク７を介して送信し（Ｓ３）、支給先決定装置１における動作は終了する。部品の支給先を決定することができない旨の情報を受信したコンピュータ２は、自らに接続されている表示装置３によりその旨を表示させ、その旨を部品の支給先を調べようとしている社員へ報知する。
【００３４】
他方、受信部１１によって受信された名称の製品の構成関係情報が構成関係・生産部署記憶部１２に記憶されている場合（Ｓ２でＹｅｓ）、構成部品特定部１４は、構成関係情報に基づいて、受信部１１によって受信された名称の製品を構成する全部の部品を特定し（Ｓ４）、それら全部の部品の中から支給先決定対象の部品を一個特定する（Ｓ５）。例えば、受信部１１によって受信された製品の名称が「電子レンジ」である場合、製品「電子レンジ」の構成関係情報が構成関係・生産部署記憶部１２に記憶されているので（Ｓ２でＹｅｓ，図４参照）、構成部品特定部１４は、構成関係情報に基づいて、製品「電子レンジ」を構成する全部の部品、すなわち、製品「電子レンジ」を構成する全部の部品として、部品「センサユニット」、部品「リード線」、部品「ボディユニット」、部品「インバータ電源」、部品「プリント基盤」、及び部品「ドアユニット」を特定する（Ｓ４）。そして、構成部品特定部１４は、それら全部の部品の中から一個の支給先決定対象の部品として例えば部品「プリント基盤」を特定する（Ｓ５）。
【００３５】
親特定部１５は、構成部品特定部１４によって特定された支給先決定対象の部品と、構成関係・生産部署記憶部１２に記憶されている構成関係情報とを対照し、支給先決定対象の部品の親を特定する（Ｓ６）。例えば、支給先決定対象の部品が「プリント基盤」である場合、親特定部１５は、支給先決定対象の部品の親として部品「インバータ電源」を特定する（Ｓ６）。生産部署判定部１６は、構成関係・生産部署記憶部１２に記憶されている生産部署情報（図４及び図５参照）に基づいて、親特定部１５によって特定された親が、製品が生産される部署において生産されるのか否かを判定する（Ｓ７）。つまり、生産部署判定部１６は、親特定部１５によって特定された親が上記企業内部で生産されるのか又は上記企業外で生産されるのかを判定する（Ｓ７）。
【００３６】
例えば、親特定部１５によって特定された親が部品「インバータ電源」である場合、生産部署判定部１６は、親としての部品「インバータ電源」が上記企業内部で生産されると判定する（Ｓ７でＹｅｓ）。その場合、支給先決定部１８は、支給先決定対象の部品を、上記企業内部に提供すべきことを決定する（Ｓ８）。
【００３７】
他方例えば、支給先決定対象の部品が部品「インバータ電源」であって、親が部品「ボディユニット」である場合、生産部署判定部１６は、親としての部品「ボディユニット」が上記企業外で生産されると判定する（Ｓ７でＮｏ）。この場合、支給先決定部１８は、仕入先記憶部１７に記憶されている仕入先情報（図６参照）と、支給先決定対象の部品とを対照し、支給先決定対象の部品の支給先が予め決められているか否かを検査するとともに、仕入先情報を参照し、親の仕入先と予め決められている支給先とが一致しているか否かを判定する（Ｓ９）。一致している場合（Ｓ９でＹｅｓ）、支給先決定部１８は、支給先決定対象の部品の支給先を、予め決められている支給先と決定する（Ｓ１０）。例えば、支給先決定対象の部品が「リード線」であって支給先が予め決められており（図６参照）、予め決められている支給先「Ｎ０１」及び支給先「Ｎ０５」と、部品「リード線」の親の部品「センサユニット」及び「ドアユニット」の仕入先「Ｎ０１」及び仕入先「Ｎ０５」とが一致している場合（Ｓ９でＹｅｓ）、支給先決定部１８は、支給先決定対象の部品「リード線」の支給先を、「Ｎ０１」及び「Ｎ０５」と決定する（Ｓ１０）。
【００３８】
それに対して、支給先決定対象の部品の支給先が決められていない場合、又は、親の仕入先と支給先決定対象の部品の予め決められている支給先とが不一致である場合（Ｓ９でＮｏ）、支給先決定部１８は、支給先決定対象の部品の支給先を、親の仕入先と決定する（Ｓ１１）。例えば、支給先決定対象の部品が「インバータ電源」であって、その支給先が決められていない場合（図６参照）、支給先決定部１８は、支給先決定対象の部品の支給先を、親としての部品「ボディユニット」の仕入先と決定する（Ｓ１１）。
【００３９】
さて、支給先決定部１８が支給先決定対象の部品の支給先又は提供先を決定すると（Ｓ８，Ｓ１０，Ｓ１１）、支給数量決定部２０は、受信部１１によって受信された生産数量と、支給数量情報記憶部１９に記憶されている支給数量情報（図７参照）とに基づいて、又は、上記の生産数量と、支給数量情報と、予め決定されている各部品の支給先とに基づいて、各支給先又は各提供先へ支給又は提供すべき各部品の数量を決定する（Ｓ１２）。例えば、支給数量決定部２０が部品「インバータ電源」についての支給すべき数量を決定する場合、支給数量決定部２０は、生産数量と、図７に示す支給数量情報の中の部品「インバータ電源」を支給すべき数量「２」とを乗じて支給すべき数量を決定する（Ｓ１２）。仮に、生産数量が「１５」であれば、支給数量決定部２０は、部品「インバータ電源」を支給すべき数量が「３０」であると決定する（Ｓ１２）。
【００４０】
そして、記録部２２は、支給先決定部１８によって決定された各部品の支給先又は提供先と、支給数量決定部２０によって決定された各支給先又は各提供先へ支給又は提供すべき各部品の数量とを記憶部２１に記録する（Ｓ１３）。未決定判定部２３は、構成部品特定部１４によって特定された全部の部品の中で、支給先又は提供先が決定されていない部品が存在しているか否かを判定する（Ｓ１４）。支給先又は提供先が決定されていない部品が存在している場合（Ｓ１４でＹｅｓ）、支給先決定対象の部品を特定するステップ（Ｓ５）へ戻る。他方、支給先又は提供先が決定されていない部品が存在していない場合（Ｓ１４でＮｏ）、つまり、構成部品特定部１４によって特定された全部の部品の支給先又は提供先が決定されている場合（Ｓ１４でＮｏ）、送信部２４は、記憶部２１へ記録された、製品を構成する各部品の支給先又は提供先の名称、及び各支給先又は各提供先へ支給又は提供すべきその部品の数量を、製品の名称及び生産数量を送信してきたコンピュータ２と、印刷装置６とへネットワーク７を介して送信し（Ｓ１５）、支給先決定装置１における動作は終了する。上記コンピュータ２は、自らに接続されている表示装置３により、製品を構成する各部品の支給先又は提供先の名称、及び各支給先又は各提供先へ支給又は提供すべき各部品の数量を表示させる。つまり、表示装置３は図８に示すような決定事項表示画面を表示する。また、印刷装置６は決定事項表示画面を紙に印刷して出力する。これにより、各部品の支給先又は提供先、及び各支給先又は各提供先へ支給又は提供すべき各部品の数量は、部品の支給先を調べようとしている社員へ報知される。
【００４１】
上述したように、本実施の形態の支給先決定装置１は、所定の製品を構成する各部品の支給先、及び各支給先へ支給すべき各部品の数量を決定する。これにより、部品を支給しようとする社員は自ら支給先を決定する必要がなくなる。また、支給先を誤って決定するということを防止することができる。
【００４２】
なお、上述した実施の形態では、図８に示すように、親特定部１５によって特定された親（例えば部品「インバータ電源」）が上記企業内部で生産されると判定された場合（Ｓ７でＹｅｓ）、支給先決定部１８は、支給先決定対象の部品を、上記企業内部に提供すべきことを決定する（Ｓ８）。しかしながら、上記企業内部にも数多くの部署が存在するので、支給先決定部１８は、支給先決定対象の部品の提供先が企業内のどの部署であるのかを、上記企業外部の支給先を決定する場合と同様に決定してもよい。例えば、支給先決定対象の部品が部品「プリント基盤」である場合、親は部品「インバータ電源」であって、図６に示す仕入先情報から明らかなように、部品「インバータ電源」の仕入先は「ＬＩＮ０１」であるので、支給先決定部１８は、支給先決定対象の部品の提供先を、親としての部品「インバータ電源」の仕入先と決定してもよい。
【００４３】
また、構成関係情報は構成関係・生産部署記憶部１２に記憶されているものとは限定されず、仕入先情報は仕入先記憶部１７に記憶されているものとは限定されず、支給数量情報は支給数量情報記憶部１９に記憶されているものとは限定されない。例えば、構成関係情報、仕入先情報、及び支給数量情報の一部又は全部は支給先決定装置１外部の所定のサーバに記憶されていて、支給先決定装置１が構成関係情報、仕入先情報、及び支給数量情報の一部又は全部を取得してもよい。
【産業上の利用可能性】
【００４４】
本発明にかかる支給先決定装置は、製品を生産するためにその製品を構成する部品の支給先を決定することができるという効果を有し、製品を生産するためにその製品を構成する部品の支給先を決定する支給先決定装置等として有用である。
【図面の簡単な説明】
【００４５】
【図１】実施の形態の部品管理システムのハードウェア構成図である。
【図２】入力案内画面の一例を示す図である。
【図３】本実施の形態の部品管理システムのブロック構成図である。
【図４】構成関係情報の一例を示す図である。
【図５】生産部署情報の一例を示す図である。
【図６】仕入先情報の一例を示す図である。
【図７】支給数量情報の一例を示す図である。
【図８】決定事項表示画面の一例を示す図である。
【図９】本実施の形態の部品管理システムにおける支給先決定装置１が行なう各手順を説明するフローチャートである。
【符号の説明】
【００４６】
１  支給先決定装置
２  コンピュータ
３  表示装置
４  キーボード
５  マウス
６  印刷装置
７  ネットワーク
１１  受信部
１２  構成関係・生産部署記憶部
１３  データ有無判定部
１４  構成部品特定部
１５  親特定部
１６  生産部署判定部
１７  仕入先記憶部
１８  支給先決定部
１９  支給数量情報記憶部
２０  支給数量決定部
２１  記憶部
２２  記録部
２３  未決定判定部
２４  送信部
【図１】
2005316657.tif 000003
【図２】
2005316657.tif 000004
【図３】
2005316657.tif 000005
【図４】
2005316657.tif 000006
【図５】
2005316657.tif 000007
【図６】
2005316657.tif 000008
【図７】
2005316657.tif 000009
【図８】
2005316657.tif 000010
【図９】
2005316657.tif 000011